(57)【要約】【課題】２つの異なるユニット間の親和性を高め、第１のユニットの操作によって両者を連携して動作させることができる表示装置を提供する。【解決手段】本発明の表示装置は、第１の映像を生成する第１のユニットと、第２の映像を生成する第２のユニットとを備える。第２のユニットは、表示領域情報を第１のユニットに送信し、第１のユニットでは、コンテンツ合成手段が、第２のユニットから受信した第２の映像を表示領域情報に基づいて加工した後、加工された第２の映像と、第１の映像とを合成して合成映像を生成して、コンテンツ表示手段が合成映像を表示する。【選択図】図１
2010258910.tif 000002
【特許請求の範囲】
【請求項１】
第１の映像を生成する第１のユニットと、第２の映像を生成する第２のユニットとを備えた表示装置であって、
上記第１のユニットは、
上記第２の映像のうちの表示すべき領域を問い合わせる問合情報を上記第２のユニットに送信するとともに、当該問合情報に対応する表示領域情報を上記第２のユニットから受信する第１の情報通信手段と、
上記第２のユニットから送信される上記第２の映像を受信する映像受信手段と、
上記映像受信手段によって受信された上記第２の映像のうちの表示すべき領域を上記表示領域情報に基づいて抽出して、当該抽出された領域と、上記第１の映像とを互いが画面の異なる表示位置に表示されるように合成して、合成映像を生成する映像合成手段と、
上記合成映像を表示する映像表示手段とを備え、
上記第２のユニットは、
上記問合情報を受信するとともに、上記表示領域情報を送信する第２の情報通信手段と、
上記第２の映像を上記第１のユニットに送信する映像送信手段とを備えていることを特徴とする表示装置。
【請求項２】
上記第１のユニットは、
放送波、通信ネットワーク、外部記憶装置、内部記憶装置、および記録メディアの少なくともいずれかを通じて、上記第１の映像を取得する第１の映像取得手段をさらに備えていることを特徴とする請求項１に記載の表示装置。
【請求項３】
上記第１のユニットは、
アンテナを通じて上記放送波を受信する放送波受信手段をさらに備え、
上記第１の映像取得手段は、上記放送波受信手段によって受信された放送波をデコードして上記第１の映像を取得することを特徴とする請求項２に記載の表示装置。
【請求項４】
上記第２のユニットは、
ソフトウェアアプリケーションを実行する実行手段と、
上記ソフトウェアアプリケーションの実行時に生成される映像を、第２の映像として取得する第２の映像取得手段とをさらに備えている
上記映像送信手段は、上記第２の映像取得手段によって取得された上記第２の映像を上記映像受信手段に送信することを特徴とする請求項１〜３のいずれか１項に記載の表示装置。
【請求項５】
上記第２のユニットは、
通信ネットワーク、外部記憶装置、内部記憶装置、および記録メディアの少なくともいずれかを通じて、上記第２の映像を取得する第２の映像取得手段をさらに備えていることを特徴とする請求項１〜３のいずれか１項に記載の表示装置。
【請求項６】
上記表示領域情報は、第２の映像のうちの一部を抽出して表示するための情報であることを特徴とする請求項１〜５のいずれか１項に記載の表示装置。
【請求項７】
上記第２の映像には、少なくとも１つのウィンドウが表示されており、
上記表示領域情報は、上記ウィンドウの１つを抽出して表示するための情報であることを特徴とする請求項６に記載の表示装置。
【請求項８】
上記第２の映像には、動画を含む上記ウィンドウが表示されており、
上記表示領域情報は、上記ウィンドウから上記動画を抽出して表示するための情報であることを特徴とする請求項７に記載の表示装置。
【請求項９】
上記第２の映像には、テキストが含まれており、
上記表示領域情報は、第２の映像からテキストを抽出して表示するための情報であることを特徴とする請求項１〜８のいずれか１項に記載の表示装置。
【請求項１０】
上記第２のユニットは、上記第１のユニットから着脱可能であることを特徴とする請求項１〜９のいずれか１項に記載の表示装置。
【請求項１１】
上記第２のユニットは、上記第１のユニットの筐体本体に内蔵されていることを特徴とする請求項１〜９のいずれか１項に記載の表示装置。
【請求項１２】
請求項１〜１１のいずれか１項に記載の表示装置を動作させるプログラムであって、コンピュータを上記の各手段として機能させるためのプログラム。
【請求項１３】
請求項１２に記載のプログラムを記録しているコンピュータ読み取り可能な記録媒体。
【発明の詳細な説明】
【技術分野】
【０００１】
本発明は、複数のユニットによって構成される表示装置、プログラム、および記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴するとともに、ユーザのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【先行技術文献】
【特許文献】
【０００６】
【特許文献１】特開２００８−７９０７７（公開日：２００８年４月３日）
【特許文献２】特開２００７−３１１９５８（公開日：２００７年１１月２９日）
【特許文献３】特開２００６−３１０８９６（公開日：２００６年１１月９日）
【発明の概要】
【発明が解決しようとする課題】
【０００７】
しかし、上述した従来技術には次のような問題がある。
【０００８】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、Adobe社のFlashコンテンツ、オンラインゲームおよび動画再生サービスなど処理に多大な負荷を要する数多くのサービスには対応できない。その結果、ユーザに対して極僅かなサービスを提供できるに留まる。特許文献２の技術にも同様の問題がある。
【０００９】
特許文献３の技術では、テレビと外部ＰＣとを接続することによって、テレビ画面とＰＣ画面とを混在させて表示する。この技術では、別体の２つの装置を互いに接続するため、配線等が複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【課題を解決するための手段】
【００１０】
本発明は、上記の問題点に鑑みてなされたものであり、その目的は、２つの異なるユニット間の親和性を高め、第１のユニットの操作によって両者を連携して動作させることができる表示装置、プログラム、および記録媒体を提供することにある。
【００１１】
すなわち本発明に係る表示装置は、上記の課題を解決するために、
第１の映像を生成する第１のユニットと、第２の映像を生成する第２のユニットとを備えた表示装置であって、
上記第１のユニットは、
上記第２の映像のうちの表示すべき領域を問い合わせる問合情報を上記第２のユニットに送信するとともに、当該問合情報に対応する表示領域情報を上記第２のユニットから受信する第１の情報通信手段と、
上記第２のユニットから送信される上記第２の映像を受信する映像受信手段と、
上記映像受信手段によって受信された上記第２の映像のうちの表示すべき領域を上記表示領域情報に基づいて抽出して、当該抽出された領域と、上記第１の映像とを互いが画面の異なる表示位置に表示されるように合成して、合成映像を生成する映像合成手段と、
上記合成映像を表示する映像表示手段とを備え、
上記第２のユニットは、
上記問合情報を受信するとともに、上記表示領域情報を送信する第２の情報通信手段と、
上記第２の映像を上記第１のユニットに送信する映像送信手段とを備えていることを特徴としている。
【００１２】
上記の構成によれば、表示装置において、第１のユニットと第２のユニットとは制御情報を通じて互いに連携して動作する。第１のユニットはたとえばテレビジョン機能を有し、一方、第２のユニットはたとえばコンピュータ機能を有する。表示装置は、第１のユニットが取得した第１の映像と、第２のユニットが取得した第２の映像とを合成して一つの合成映像を得る。こうして得た合成映像を再生してユーザに視聴させる。その際、第２のユニットから第１のユニットに表示領域情報が提供され、第１のユニットは、当該表示領域情報に基づいて第２のユニットから提供を受けた第２の映像を加工した上で第１の映像と合成して表示用映像を作成し、これを映像表示手段に第２のコンテンツを第１のユニットに提供する。
【００１３】
これによって、本発明に係る表示装置は、２つの異なるユニット間の親和性を高め、第１のユニットを操作することにより両者を連携して動作させ、両ユニットのそれぞれにおいて生成した映像を単一の表示装置に同時表示させることができる効果を奏する。
【００１４】
（第１のコンテンツの取得源）
本発明に係る表示装置では、さらに、
上記第１のユニットは、
放送波、通信ネットワーク、外部記憶装置、内部記憶装置、および記録メディアの少なくともいずれかを通じて、上記第１の映像を取得する第１の映像取得手段をさらに備えていることが好ましい。
【００１５】
上記の構成によれば、表示装置は、仮に第２のユニットが故障して動作しなくなった場合でも、様々な映像を表示できる。
【００１６】
（第１のユニット＝ＴＶ）
本発明に係る表示装置では、さらに、
上記第１のユニットは、
アンテナを通じて上記放送波を受信する放送波受信手段をさらに備え、
上記第１の映像取得手段は、上記放送波受信手段によって受信された放送波をデコードして上記第１の映像を取得することが好ましい。
【００１７】
上記の構成によれば、第１のユニットが放送番組を再生できる。結果、表示装置をテレビジョン装置の一種として実現できる。
【００１８】
（第２のユニット＝ＰＣ）
本発明に係る表示装置では、さらに、
上記第２のユニットは、
ソフトウェアアプリケーションを実行する実行手段と、
上記ソフトウェアアプリケーションの実行時に生成される映像を、上記第２の映像として取得する第２の映像取得手段とをさらに備え  上記映像送信手段は、上記第２の映像取得手段によって取得された上記第２の映像を上記映像受信手段に送信することが好ましい。
【００１９】
上記の構成によれば、第２のユニットが汎用コンピュータとしての機能を有する。結果、表示装置を、コンピュータ機能を有する装置として実現できる。特に、第１のユニットが放送番組の再生機能を有する場合、表示装置は、コンピュータ内蔵のテレビジョン装置として実現できる。
【００２０】
（第２のコンテンツの取得源）
本発明に係る表示装置では、さらに、
上記第２のユニットは、
通信ネットワーク、外部記憶装置、内部記憶装置、および記録メディアの少なくともいずれかを通じて、上記第２の映像を取得する第２の映像取得手段をさらに備えていることが好ましい。
【００２１】
上記の構成によれば、表示装置は多種多様な映像を表示できる。
【００２２】
（第２の映像の一部を表示）
本発明に係る表示装置では、さらに、
上記表示領域情報は、第２の映像のうちの一部を抽出して表示するための情報であることが好ましい。
【００２３】
（第２の映像＝１つのウィンドウ）
本発明に係る表示装置では、さらに、
上記第２の映像には、少なくとも１つのウィンドウが表示されており、
上記表示領域情報は、上記ウィンドウの１つを抽出して表示するための情報であることが好ましい。
【００２４】
（第２の映像＝ウィンドウに含まれる動画）
本発明に係る表示装置では、さらに、
上記第２の映像には、動画を含むウィンドウが表示されており、
上記表示領域情報は、上記ウィンドウから上記動画を抽出して表示するための情報であることが好ましい。
【００２５】
（第２の映像＝テキスト）
上記第２の映像には、テキストが含まれており、
上記表示領域情報は、第２の映像からテキストを抽出して表示するための情報であることが好ましい。
【００２６】
上記の構成によれば、第１のユニットが放送番組の再生機能を有することによって表示装置をテレビジョン装置とするならば、ユーザは、テレビを視聴しながらチャットを行うことで、テレビ視聴を含んだコミュニケーションが可能となる。
【００２７】
また、メールの表示ができる。テレビ視聴中に、ＰＣがメールを受信した際に、たとえば、画面の下部にメールを流すことによってユーザは、ＰＣで確認することなく、メールの到着及び内容を即時に確認することができる。
【００２８】
また、掲示板ができる。テレビ視聴中に掲示板を同時に表示しておくことによって、掲示板伝言板として使用することができる。ＰＣにおいても可能であるが、テレビに付帯した掲示板のほうが、大画面で感動ある映像を視聴しながら感銘のあるメッセージを掲載でき掲示板のコミュニティーが活発化する効果がある。
【００２９】
（第２のユニットは着脱可能）
本発明に係る表示装置では、さらに、
上記第２のユニットは、上記第１のユニットから着脱可能であることが好ましい。
【００３０】
上記の構成によれば、表示装置の拡張性および保守性をより高めることができる。
【００３１】
（第２のユニットは内蔵）
本発明に係る表示装置では、さらに、
上記第２のユニットは、上記第１のユニットの筐体本体に内蔵されていることが好ましい。
【００３２】
上記の構成によれば、第２のユニットを外部環境から守ることができる。
【００３３】
（プログラム、記録媒体）
なお、上記表示装置は、コンピュータによって実現してもよい。この場合、コンピュータを上記各手段として動作させることにより上記表示装置をコンピュータにおいて実現するプログラム、およびそのプログラムを記録したコンピュータ読み取り可能な記録媒体も、本発明の範疇に入る。
【発明の効果】
【００３４】
以上のように、本発明に係る表示装置は、２つの異なるユニット間の親和性を高め、第１のユニットの操作によって両者を連携して動作させることができるという効果を奏する。
【図面の簡単な説明】
【００３５】
【図１】本発明の一実施形態に係るＰＣ内蔵テレビの要部構成を示すブロック図である。
【図２】（ａ）は、本発明の一実施形態に係るＰＣ内蔵テレビを表示画面側から見た場合の外観を示す斜視図であり、（ｂ）は、（ａ）に示したＰＣ内蔵テレビを横から見た側面図である。
【図３】本発明の一実施形態に係るＰＣ内蔵テレビの詳細な内部構成を示すブロック図である。
【図４】（ａ）は、リモコンを使用してＰＣ内蔵テレビを操作する際の信号伝達の流れを図であり、（ｂ）は、入力装置（キーボードまたはマウス）を使用してＰＣ内蔵テレビを操作する際の信号伝達の流れを図である。
【図５】ＰＣ内蔵テレビにおける映像合成の流れの一例を示す図である。
【図６】ディスプレイに表示される画面の各例を示す図である。
【図７】ＰＣ内蔵テレビが、ＰＣ機能メニューの選択に応じてディスプレイのＰＣ画面の表示を切り換える様子の一例を示す図である。
【図８】ＰＣ内蔵テレビにおける映像合成の流れの一例を示す図であり、ディスプレイのＰＣ画面に動画を表示する形態を示した図である。
【図９】ＰＣ内蔵テレビにおける映像合成の流れの一例を示す図であり、ディスプレイのＰＣ画面にテキストを表示する形態を示した図である。
【図１０】ＰＣ内蔵テレビにおける映像合成の流れの一例を示す図である。
【図１１】ＰＣ内蔵テレビにおける映像合成の処理シーケンスの一例を示す図である。
【図１２】（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図１３】本発明の他の実施形態に係るＰＣ内蔵テレビの要部構成を示すブロック図である。
【図１４】着脱可能なＢＤユニットがＴＶユニットに装着された後のＢＤ内蔵テレビの外観を示す図である。
【発明を実施するための形態】
【００３６】
本発明に係るＰＣ内蔵テレビ１の一実施形態について、図１〜図１４を参照して以下に説明する。
【００３７】
（ＰＣ内蔵テレビ１の外観）
まず、ＰＣ内蔵テレビ１の外観について、図２を参照して以下に説明する。図２（ａ）は、本発明の一実施形態に係るＰＣ内蔵テレビ１を表示画面側から見た場合の外観を示す斜視図である。図２（ｂ）は、図２（ａ）に示すＰＣ内蔵テレビ１を横から見た側面図である。
【００３８】
図２（ａ）および（ｂ）に示すように、ＰＣ内蔵テレビ１（表示装置）は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００３９】
ユーザは、リモコン９を使用してＰＣ内蔵テレビ１を遠隔操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００４０】
（ＰＣ内蔵テレビ１の構成）
ＰＣ内蔵テレビ１の内部構成および機能について、図１を参照して以下に説明する。図１は、本発明の一実施形態に係るＰＣ内蔵テレビ１の要部構成を示すブロック図である。
【００４１】
図１に示すように、ＴＶユニット１０は、ディスプレイ２（映像表示手段）、スピーカ３、映像出力部１１、音声出力部１２、コンテンツ処理部１３、コンテンツ合成部１４、コンテンツ取得部１５、コンテンツ受信部１６、ユーザ入力部１７、制御情報通信部１８（第１の情報通信手段）、および、制御部１９を備えている。
【００４２】
また、ＰＣユニット２０は、コンテンツ処理部２１、コンテンツ取得部２２、コンテンツ送信部２３、記憶部２４、制御情報通信部２５（第２の情報通信手段）、ユーザ入力部２６、制御部２７、および、アプリケーション実行部２８を備えている。
【００４３】
本実施形態のＰＣ内蔵テレビ１は、映像の合成機能を有している。具体的には、ＴＶユニット１０は、放送波（テレビ放送）を受信してデコードすることによって、放送番組を取得する。ＰＣユニット２０は、ウェブページ、動画コンテンツ等などのＰＣコンテンツを取得して、ＴＶユニット１０に提供する。ＴＶユニット１０は、ＰＣコンテンツから提供を受けた映像（第２の映像）の全体もしくはそのうちの少なくとも一部分の領域を抽出した上で、少なくとも放送番組内の映像（第１の映像）と、当該抽出された映像（抽出された第２の映像）とを合成して一つの合成映像を生成し、ＴＶユニット１０のディスプレイ２に出力して、ディスプレイ２に当該合成映像を表示させる。
【００４４】
（ＴＶユニット１０の詳細）
ＴＶユニット１０に備えられる各ブロックの機能について、それぞれ以下に説明する。
【００４５】
ディスプレイ２は、映像出力部１１からの映像信号を受けて、映像を表示する。なお、本実施形態では、ＴＶユニット１０を液晶テレビジョン装置としているため、ディスプレイ２は液晶ディスプレイを用いるが、本発明はこれに限定されるものではなく、ディスプレイ２は、たとえばプラズマディスプレイ、有機ＥＬディスプレイとして実現されてもよい。
【００４６】
スピーカ３は、音声出力部１２からの音声信号を受けて、音声を出力する。
【００４７】
映像出力部１１は、コンテンツ合成部１４から送られた映像信号をディスプレイ２に出力する。
【００４８】
音声出力部１２は、コンテンツ合成部１４から送られた音声信号をスピーカ３に出力する。
【００４９】
コンテンツ処理部１３は、コンテンツ取得部１５から入力されたコンテンツを処理する。本実施形態では、受信された放送波をデコードして放送番組を生成し、コンテンツ合成部１４に出力する。
【００５０】
コンテンツ合成部１４は、コンテンツ処理部１３から入力された放送番組、およびコンテンツ受信部１６がＰＣユニット２０から受信したＰＣコンテンツを合成して、一つの合成コンテンツを生成する。詳細は後述する。
【００５１】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００５２】
コンテンツ受信部１６は、ＰＣユニット２０から送信されたＰＣコンテンツを受信し、コンテンツ合成部１４に出力する。
【００５３】
ユーザ入力部１７は、ユーザによるＰＣ内蔵テレビ１に対する入力操作を受け付ける。具体的には、たとえばユーザによる入力操作に応じてリモコン９が発した信号を受信し、制御部１９に出力する。他にも、ＴＶユニット１０本体へのユーザの直接操作によって発生せられた信号を受信することもできる。
【００５４】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。
【００５５】
ここでＰＣユニット２０に送信される制御情報には、ＰＣユニット２０またはＴＶユニット１０を操作するための操作情報、ＰＣコンテンツに含まれる第２の映像のうち、ディスプレイ２に表示すべき領域を問い合わせる問合情報、取得したコンテンツを他方のユニットに提供すべき旨を規定した情報、および、コンテンツを取得するためのアクセス情報（リンク情報）が含まれる。問合情報には、たとえば、第２の映像の全てを表示するのか、あるいはそのうちの一部を表示するのかについて問い合わせるための情報であったり、当該情報に加えて、表示する際の映像種類、表示倍率を問い合わせるための情報であったりが含まれる。
【００５６】
そして、制御情報通信部１８には、ディスプレイ２に表示すべき領域に関する表示領域情報を、ＰＣユニット２０から受信すると、受信した表示領域情報をコンテンツ合成部１４に提供する。
【００５７】
表示領域情報の提供を受けたコンテンツ合成部１４は、コンテンツ受信部１６がＰＣユニット２０から受信したＰＣコンテンツに含まれる映像（第２の映像）を、表示領域情報に基づいてレイアウトして、コンテンツ処理部１３から入力された放送番組（第１の映像）と合成する。
【００５８】
制御部１９は、ＴＶユニット１０を構成する各ブロックを統括制御する。
【００５９】
（ＰＣユニット２０の詳細）
ＰＣユニット２０を構成する各ブロックの機能について、以下に説明する。
【００６０】
コンテンツ処理部２１は、コンテンツ取得部２２が取得したＰＣコンテンツを処理する。
【００６１】
コンテンツ取得部２２は、外部からＰＣコンテンツを取得する。たとえば、コンテンツ取得部２２は、記録ディスク７からＰＣコンテンツを取得してもよいし、インターネット（通信ネットワーク）８を介してＰＣ内蔵テレビ１に接続されているサーバ装置あるいはクライアント装置からＰＣコンテンツを取得してもよい。
【００６２】
ここで、ＰＣコンテンツとは、コンピュータによって処理され再生可能なコンテンツのことである。ＰＣコンテンツには、たとえばテキスト、静止画像、音声、動画像等が含まれ、さらにこれらの組み合わせからなるマルチメディアコンテンツも該当する。他にも、ウェブページもＰＣコンテンツに含まれる。これらのＰＣコンテンツは各所から取得できる。取得先は、たとえばインターネット８上のウェブサイト、ＰＣ内蔵テレビ１に接続された外部装置、および記録ディスク７である。
【００６３】
コンテンツ送信部２３は、コンテンツ処理部２１が処理したコンテンツをコンテンツ受信部１６へ送信する。
【００６４】
記憶部２４は、各種のＰＣコンテンツを記憶する。たとえば、ハードディスク、フラッシュメモリ等の不揮発性の記憶装置として実現される。記憶部２４には、ＰＣコンテンツに加えて、アプリケーション実行部２８によって実行される各種のソフトウェアアプリケーションが記憶されている。
【００６５】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。また、制御情報通信部１８から送信された問合情報を受けて、ディスプレイ２に表示すべき領域に関する表示領域情報を制御情報通信部１８に送信する。
【００６６】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信して、制御部２７に出力する。当該操作装置の他の例として、トラックボールおよびトラックパッドなどのポインティングデバイス、ならびにジョイスティックも含まれる。
【００６７】
制御部２７は、ＰＣユニット２０における各種動作を制御する。
【００６８】
アプリケーション実行部２８は、記憶部２４に記憶されているソフトウェアアプリケーションを読み出して、実行する。
【００６９】
（ＰＣ内蔵テレビ１の詳細な内部構成）
次に、ＰＣ内蔵テレビ１の詳細な内部構成について、図３を参照して説明する。図３は、本発明の一実施形態に係るＰＣ内蔵テレビ１の詳細な内部構成を示すブロック図である。図１に示す各機能ブロックは、図３に示す各ブロックのいずれかまたはその組み合わせによって実現される。
【００７０】
ＲＦ（Ｒａｄｉｏ  Ｆｒｅｑｕｅｎｃｙ）受信部１０１は、外部から送られてくる信号を受信する。すなわち、ＲＦ受信部１０１は、たとえば、地上波デジタル放送により伝送される映像信号等のデジタル放送信号を受け付ける映像信号入力部である。なお、ＲＦ受信部１０１が受信する信号は、地上波デジタル放送として送られてくる信号に限定されるものではなく、たとえば、一般のアナログ放送、衛星放送、またはケーブルテレビ放送等により伝送される映像信号であってもよい。
【００７１】
ＲＦ受信部１０１が受信する映像信号の形式としては、たとえば、デジタル放送の場合はＭＰＧ２またはＭＰＥＧ４等のシステムとしてデジタル化された映像信号が挙げられる。また、ＲＦ受信部１０１に入力される信号は、当該映像信号に限定されるものではなく、たとえば、デジタル化されたオーディオ信号、データ放送、電子番組表情報またはネットワーク情報などのデジタル放送信号（放送波）であってもよい。
【００７２】
デモジュレータ１０２は、ＲＦ受信部１０１に入力されたデジタル放送信号を復調し、デコーダ１０３に送る。
【００７３】
デコーダ１０３は、たとえばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００７４】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【００７５】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、たとえば、ＢＤ（Ｂｌｕ-ｒａｙ  Ｄｉｓｋ）レコーダまたはＳＴＢ（Ｓｅｔ  Ｔｏｐ  Ｂｏｘ）などの場合、スピーカ１０５の代わりに、外部機器にオーディオ信号を出力してもよい。
【００７６】
リモコン通信部１０６は、図示しないリモコンからの制御信号を受信する。制御信号を送信するリモコンとしては、たとえば、１方向に信号を送信する赤外線リモコン、または双方向に信号を送信する無線リモコンが挙げられる。リモコン通信部１０６が受信した制御信号は、ＣＰＵ１０９に送られる。
【００７７】
外部入力部１０７は、ＰＣユニット２０の映像出力部２０８から出力された信号を受信する。外部入力部１０７としては、たとえば、ＨＤＭＩインターフェースまたはＤＶＩ・Ｄ端子などが挙げられる。また、外部入力部１０７が受信する信号は、デコードされたデータまたは圧縮形式のデータ（たとえば、ＭＥＰＧ２またはＭＰＥＧ４形式のデータ等）を含む。
【００７８】
外部入力部１０７が受信したオーディオ信号は、オーディオプロセッサ１０４に出力される。一方、外部入力部１０７が受信した映像信号は、グラフィックメモリ１１０に出力され、展開される。また、たとえば、外部入力部１０７が受信した映像信号が圧縮画像である場合、受信した映像信号はデコード１０３を一旦経由してグラフィクメモリ１１０に送られる。なお、デコード１０３を経由するか否かによって、グラフィックメモリ１１０に出力される映像信号に本質的な差異はない。
【００７９】
メモリ１０８は、プログラムまたはデータを格納するメモリである。
【００８０】
ＣＰＵ１０９は、ＴＶユニット１０全体の制御を行うＣＰＵである。
【００８１】
グラフィックメモリ１１０は、２つ以上の映像および表示データを保持する。表示データとしては、たとえば、データ放送、およびＯＳＤ（オンスクリーンディスプレイ）データ、設定メニュー等のデータが挙げられる。グラフィックメモリ１１０は、複数のプレーンからなり、それぞれのプレーンを重ね合わせたり、アルファブレンディングを行ったりすることが可能である。
【００８２】
グラフィックコントローラ１１１は、グラフィックメモリ１１０に保持される映像および表示データを合成して、１画面を作成する。すなわち、グラフィックコントローラ１１１は、ＣＰＵ１０９からの制御に応じて、たとえば、複数のプレーンの拡大縮小または位置設定などを行い、合成して最終画面を作り出す。この最終画面は、表示部１１２へ送られる。なお、グラフィックメモリ１１０およびグラフィックコントローラ１１１は、図１に示したコンテンツ合成部１４に相当する。
【００８３】
表示部１１２は、グラフィックコントローラ１１１から受け取った映像を表示する。たとえば液晶パネルなどの表示デバイスに映像を表示してもよいし、外部機器に映像データを出力してもよい。
【００８４】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネット８を通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００８５】
Ｉ／Ｆ部１１４は、ＬＡＮ、ＵＳＢまたはシリアル等を制御するインターフェース部である。Ｉ／Ｆ部１１４では、制御情報をＰＣユニット２０とやり取りする。なお、Ｉ／Ｆ部１１４における制御情報の送受信方式は、特に限定されない。
【００８６】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【００８７】
入力部２０１は、外部からの入力を受け付ける。このように、ＰＣユニット２０は、独自の入力部が存在し得る。入力部２０１としては、たとえば、Ｂｌｕｅｔｏｏｔｈのワイヤレスキーボードまたはワイヤレスマウス等を利用できることが好ましい。
【００８８】
ＩＯプロセッサ２０２は、各種外部インターフェースを制御する。
【００８９】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、たとえば、有線ＬＡＮを接続する場合に、１つのＬＡＮケーブルを挿すだけで、ＴＶユニット１０およびＰＣユニット２０を同時にネットワークに接続させることができる。
【００９０】
メモリ２０５は、各種制御を行うＣＰＵ２０６のメモリである。
【００９１】
ＣＰＵ２０６は、ＰＣユニット２０に含まれる各ブロックを統括的に制御する。たとえば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、たとえば、ＰＣユニット２０がデコーダ１０３のようなハードウェアを備えていてもよい。
【００９２】
グラフィックコントローラ２０７は、映像描画時のグラフィック処理を高速化する。
【００９３】
映像出力部２０８は、グラフィックコントローラ２０７によって処理された映像信号を出力する。出力される映像信号の形式としては、たとえばＨＤＭＩ規格、ディスプレイポート規格のインターフェースを介して出力可能な形式などを挙げることができる。なお、オーディオ信号も映像信号と同様に、ＴＶユニット１０に出力される。
【００９４】
記憶部２０９は、インターネット８または記録ディスク７を通じて取得されたＰＣコンテンツを恒久的に記憶する。記憶部２０９としては、たとえば、ハードディスク、ＢＤ（Ｂｌｕ-ｒａｙ  Ｄｉｓｋ）、ＤＶＤ（Ｄｉｇｉｔａｌ  Ｖｉｄｅｏ  Ｄｉｓｋ）またはＵＳＢ（Ｕｎｉｖｅｒｓａｌ  Ｓｅｒｉａｌ  Ｂｕｓ）メモリ等が挙げられる。ＣＰＵ２０６は、ネットワークを経由して取得した映像、または記憶部２０９に記憶されている映像を再生し、ＴＶユニット１０に送信する。
【００９５】
ここで、映像とは、動画に限定されるものではなく、音楽、書籍（テキスト）、写真（静止画像）、スライドショー、ワープロドキュメント、またはゲーム等のアプリケーションが作成する画面が挙げられる。
【００９６】
（ＰＣ内蔵テレビ１の操作方法）
図４（ａ）は、リモコン９を使用してＰＣ内蔵テレビ１を操作する際の信号伝達の流れを図である。図４（ｂ）は、入力装置（キーボード６またはマウス５）を使用してＰＣ内蔵テレビ１を操作する際の信号伝達の流れを図である。
【００９７】
上述したように、ユーザは、リモコン９を使用してＴＶユニット１０およびＰＣユニット２０の両方を操作できる。ユーザの入力に応じてリモコン９が発信する信号（操作信号）は、ユーザ入力部１７を経由して制御部１９に入力される。制御部１９は、操作信号を解析することによって、ＴＶユニット１０を操作するための信号か、またはＰＣユニット２０を操作するための信号なのかを判定する。前者だと判定した場合には、操作信号の内容に応じて、ＴＶユニット１０内の各ブロックを制御する。これらの処理の結果、ユーザはリモコン９を使用してＴＶユニット１０を操作できる。
【００９８】
一方、制御部１９が、操作信号がＰＣユニット２０を操作するための信号だと判定した場合には、ＰＣユニット２０を制御するための制御情報を生成し、制御情報通信部１８を通じてＰＣユニット２０に送信する。当該制御情報は制御情報通信部２５を経由してＰＣユニット２０の制御部２７に入力される。ＰＣユニット２０は、入力された制御情報に基づき、ＰＣユニット２０内の各ブロックを制御する。これらの処理の結果、ユーザは、リモコン９を使用してＰＣユニット２０を操作できる。
【００９９】
上述したように、ユーザは、マウス５またはキーボード６（以下、操作装置と総称）を使用して、ＰＣユニット２０およびＴＶユニット１０の両方を操作できる。ユーザの入力に応じて操作装置が発信する信号（操作信号）は、ユーザ入力部２６を経由して制御部２７に入力される。制御部２７は、操作信号を解析することによって、ＰＣユニット２０を操作するための信号か、またはＴＶユニット１０を操作するための信号なのかを判定する。前者だと判定した場合には、操作信号の内容に応じて、ＰＣユニット２０内の各ブロックを制御する。これらの処理の結果、ユーザはマウス５またはキーボード６を使用してＰＣユニット２０を操作できる。
【０１００】
一方、制御部２７は、操作信号がＴＶユニット１０を操作するための信号だと判定した場合には、ＴＶユニット１０を制御するための制御情報を生成し、制御情報通信部２５を通じてＴＶユニット１０に送信する。当該制御情報は制御情報通信部１８を経由してＴＶユニット１０の制御部１９に入力される。制御部１９は、入力された制御情報に基づき、ＴＶユニット１０内の各ブロックを制御する。これらの処理の結果、ユーザは、操作装置（マウス５またはキーボード６）を使用してＴＶユニット１０を操作できる。
【０１０１】
以上のように、本実施形態のＰＣ内蔵テレビ１は、１つの操作装置を使用して、まったく異なる機能を持った２つのユニット（ＴＶユニット１０、ＰＣユニット２０）を操作できる。特に、ＰＣユニット２０の操作がリモコン９によって可能になる点は、ユーザにとってのメリットが大きい。マウス５またはキーボード６に比べて、リモコン９の操作は洗練され、直感的で分かりやすいからである。したがって、本実施形態のＰＣ内蔵テレビ１を使用するユーザは、ＰＣユニット２０によって提供される各種のサービス（アプリケーションの実行、ウェブページの閲覧）を、汎用のパーソナルコンピュータを用いる場合よりも手軽に体験できる。
【０１０２】
（映像合成の流れの例）
ＰＣ内蔵テレビ１における、複数の映像の合成および表示処理の流れについて、図５を参照して説明する。図５は、ＰＣ内蔵テレビ１における映像合成および表示の流れの一例を示す図である。
【０１０３】
図５に示すように、ＰＣユニット２０のコンテンツ取得部２２は、第２の映像５０（を取得する。取得先はたとえばインターネット８または記録ディスク７（図１）である。第２の映像５０は、コンテンツ取得部２２、コンテンツ処理部２１、およびコンテンツ送信部２３を経由してＴＶユニット１０のコンテンツ受信部１６に送信される。コンテンツ受信部１６に送信された第２の映像５０は、コンテンツ合成部１４に提供される。
【０１０４】
一方、ＴＶユニット１０のコンテンツ取得部１５は、第１の映像５４を取得する。取得先はたとえば放送局である。これらの第１の映像５４は、コンテンツ取得部１５、コンテンツ処理部１３を経由してコンテンツ合成部１４に提供される。
【０１０５】
ＰＣユニット２０には、ＴＶユニット１０から、第２の映像５０をＴＶユニット１０に提供すべきことを規定した制御情報が事前に送信されている。ＰＣユニット２０は、この制御情報の受信に応じて第２の映像５０をＴＶユニット１０に提供する。この際、上述の通り、ＴＶユニット１０からＰＣユニット２０に対して、第２の映像のうちの表示すべき領域がどこなのかについて問い合わせる。そして、ＰＣユニット２０からＴＶユニット１０に対して、表示領域を示す情報が送信（返信）される。この一連の情報通信は、図５に示す通り、ＴＶユニット１０の制御情報通信部１８と、ＰＣユニット２０の制御情報通信部２５との送受信によって行われる。
【０１０６】
コンテンツ合成部１４では、入力された第２の映像５０を、表示領域を示す情報（表示領域情報）に基づいて加工する。これについて図５に示す一例を用いて具体的に説明すれば、表示領域情報には、第２の映像５０に表示されている２つの表示ウィンドウ５１ａ、５１ｂのうち、右側に表示されている表示ウィンドウ５１ａを切り出す指示を含んでいる。そこで、コンテンツ合成部１４は、この表示領域情報に基づいて、第２の映像５０から表示ウィンドウ５１ａを抽出する。そして、入力された第１の映像５４と、加工された第２の映像５０（表示ウィンドウ５１ａ）とを合成して１つの合成映像を生成する。本実施形態ではグラフィックメモリ１１０（図３）を利用し、２つのプレーンのそれぞれにデータを書き込む。具体的には第１のプレーンに第１の映像５４、そして第２のプレーンに加工された第２の映像５０を書き込む。こうして得た２つのプレーンを重ね合わせ、図５に示す１つの合成映像を生成する。当該合成映像は映像出力部１１を経由してディスプレイ２に入力される。これらの処理の結果、ユーザはディスプレイ２を通じて当該合成映像を視認する。
【０１０７】
（ディスプレイ２に表示される画面の例）
図６は、ディスプレイ２に表示される画面を示す図である。
【０１０８】
図５では、第２の映像５０に含まれる２つの表示ウィンドウ５１ａ、５１ｂのうち、右側に表示されている表示ウィンドウ５１ａを抽出することが示された表示領域情報が制御情報通信部２５に格納されている。表示領域情報によって指定される表示領域がどこの領域なのかは、ＰＣユニット２０で動作しているプログラム（ウィンドウマネージャー）より表示領域情報が制御情報通信部２５を通してＴＶユニット１０に対して通知される。なお、このほかにも、ユーザがリモコン９（図１）を通じて表示領域を指定したものが制御部２７を経由して制御情報通信部２５に送信されていても良いし、予め制御部２７に格納されていても良い。表示領域情報としては、上記のほかにも、２つの表示ウィンドウ５１ａ、５１ｂを、その表示サイズを２分の１に縮小することが示されていてもよい。これが、図６（ａ）に示す状態である。
【０１０９】
また、ユーザが希望すれば、第１の映像５４、および、加工された第２の映像５０の表示位置を入れ替えてもよい。また、図６（ｂ）に示すように、表示サイズを第１の映像５４が加工された第２の映像５０よりも相対的に小さくなるように変更してもよい。この切り替えは、リモコン９（図１）に設けられた「ＰＣボタン」をユーザが押下することにより実現できる。
【０１１０】
（ＰＣ画面の切り換えの例）
図７は、ＰＣ内蔵テレビ１が、ＰＣ表示メニューの選択に応じてディスプレイ２のＰＣ画面の表示を切り換える様子の一例を示す図である。
【０１１１】
図７では、ディスプレイ２に、ＴＶ主画面２ａ、ＰＣ表示メニュー項目２ｃ−１〜２ｃ−３、およびＰＣ画面２ｂを表示している。ＰＣ表示メニュー項目２ｃ−１〜２ｃ−３には、ＰＣユニット２０のコンテンツ取得部２２によって取得された第２の映像５０に含まれる複数の表示ウィンドウ（たとえば図５の表示ウィンドウ５１ａ、５１ｂ）の表示ウィンドウ毎に項目に分けられており、ユーザが選択したメニュー項目に応じた表示ウィンドウがディスプレイ２のＰＣ画面が直ちに表示される。メニュー項目としては、表示ウィンドウのファイル名であってもよいし、ソフトウェア名であってもよいし、表示ウィンドウの映像そのものであってもよい。
【０１１２】
（ディスプレイ２に表示されるＰＣコンテンツの映像の例［１］）
図８は、ＰＣコンテンツの第２の映像５０の表示ウィンドウ５１ａがたとえば映画などの動画を表示している場合の、ＰＣ内蔵テレビ１における映像合成および表示の流れの一例を示す図である。図８に示すように、コンテンツ取得部２２にて取得された第２の映像５０がコンテンツ合成部１４に提供されると、予めコンテンツ合成部１４に提供されていた表示領域情報に基づいて加工される。ここで、本例では、動画を表示している表示ウィンドウ５１ａをそのままディスプレイ２に表示するのではなく、表示ウィンドウ５１ａに含まれるメニューバーなどを除いた動画のみを表示する。すなわち、表示領域情報にはその指示が含まれている。たとえば、ユーザがリモコン９を用いてその表示領域情報を選択できるように構成されていればよい。これにより、選択された表示領域情報に基づいて、コンテンツ合成部１４は、第２の映像５０から表示ウィンドウ５１ａの動画のみを切り出して、コンテンツ送信部２３に提供する。この一連の情報通信は、図８に示す通り、ＴＶユニット１０の制御情報通信部１８と、ＰＣユニット２０の制御情報通信部２５との送受信によって行われる。
【０１１３】
ＰＣユニット２０においては、動画表示のためのプログラムを起動させ、起動完了をＴＶユニット１０に通知する。結果、放送番組を視聴しながら映画コンテンツをサブ画面で楽しむことが可能になる。
【０１１４】
（ディスプレイ２に表示されるＰＣコンテンツの映像の例［２］）
図９は、ＰＣコンテンツの第２の映像５０の表示ウィンドウ５１ａがたとえばチャット画面のようなテキストを表示している場合の、ＰＣ内蔵テレビ１における映像合成および表示の流れの一例を示す図である。図９に示すように、コンテンツ取得部２２にて取得された第２の映像５０がコンテンツ処理部２１に提供されると、ユーザ入力部２６から受信される表示領域情報に基づいて加工される。ここで、本例では、テキストを表示している表示ウィンドウ５１ａをそのままディスプレイ２に表示するのではなく、テキストデータのみを表示する。すなわち、表示領域情報にはその指示が含まれている。たとえば、ユーザがリモコン９を用いてその表示領域情報を選択できるように構成されていればよい。これにより、選択された表示領域情報に基づいて、コンテンツ合成部１４は、コンテンツ処理部２１は提供された第２の映像５０から表示ウィンドウ５１ａのテキストデータのみが抽出されて、コンテンツ送信部２３に提供する。この一連の情報通信は、図５に示す通り、ＴＶユニット１０の制御情報通信部１８と、ＰＣユニット２０の制御情報通信部２５との送受信によって行われる。
【０１１５】
ＰＣユニット２０においては、テキスト表示のためのプログラムを起動させ、起動完了をＴＶユニット１０に通知する。結果、放送番組を視聴しながらチャットをサブ画面で楽しむことが可能になる。
【０１１６】
なお、テキスト表示としてはチャット以外にも、たとえば、メールまたは掲示板が上げられる。
【０１１７】
（合成映像の生成処理の詳細）
以下に、本実施形態に係るＰＣ内蔵テレビ１においてＴＶ映像とＰＣ映像とを含む表示用映像（合成映像）を生成する処理の詳細について、図１０および図１１を用いて説明する。なお、本項では、ディスプレイ２において図５、図６（ａ）および図９に示す表示を実現する場合を例に挙げて説明する。なお、既に上記において説明した部材については、同一の符号を援用する。
【０１１８】
まず、ユーザが、図１０に示すように、リモコンを操作すると、ＰＣ内蔵テレビ１は、表示モードをＴＶユニット１０において処理されるＴＶ映像を主映像とし、ＰＣユニット２０において処理されるＰＣ映像を副映像として各映像をディスプレイ２に同時表示するモードに変更する（図１１のスタート）。
【０１１９】
ＰＣ内蔵テレビ１における表示モードが同時表示モードに変更されると、ＰＣユニット１０における制御部１９は、制御情報通信部１８に対して、ＰＣユニット２０において処理されているＰＣ映像、および当該ＰＣ映像の表示領域を指定する表示領域情報を含む表示関連情報の取得要求（問合情報）を、ＰＣユニット２０に出力するように指示する。指示を受けた制御情報通信部１８は、ＰＣ映像、および当該ＰＣ映像の表示関連情報の取得要求を、図１０に示すように、ＰＣユニット２０に対して出力する。
【０１２０】
一方、ＰＣユニット２０側では、制御情報通信部２５がＴＶユニット１０から出力された取得要求を受け付けると、制御部２７が、コンテンツ送信部２３に対して、コンテンツ処理部２１において処理したＰＣ映像をＴＶユニット１０に出力するように指示する。指示を受けたコンテンツ送信部２３は、ＰＣ映像をＴＶユニット１０に対して出力する。
【０１２１】
同時に、制御部２７は、制御情報通信部２５に対して、ＰＣ映像の表示関連情報をＴＶユニット１０に出力するように指示する。指示を受けた制御情報通信部２５は、表示関連情報をＴＶユニット１０に対して出力する。
【０１２２】
表示関連情報としては、図６（ａ）に示すようにＰＣ映像の表示領域がＰＣ映像の全体（図１１中の全モード）なのか、それとも図５に示すように一部（図１１中の部分モード）なのかという表示領域情報が含まれる。これに加え、表示関連情報には、表示領域が全モードであればＰＣ映像の縮小倍率に関する情報が含まれ、表示領域が部分モードであればＰＣ映像の表示領域を指定する表示領域情報が含まれる。この表示領域情報は、ＰＣユニット２０において予め設定された位置にすればよく、表示領域の位置を、表示領域の任意の頂点（たとえば、表示領域が矩形であればその左上の頂点）の位置座標を設定しておけばよい。さらに、表示関連情報には、ディスプレイ２に表示するＰＣ映像としてテキストのみを表示するのか（図１１中のテキストモード）、そうでないのか（図１１中のミックスモード）という表示モードを指定する表示モード情報が含まれる。これらの情報の具体例を図１０の［Ａ］および［Ｂ］に示す。［Ａ］が図６（ａ）に示す表示を実現するための情報であり、［Ｂ］が図５に示す表示を実現するための情報である。
【０１２３】
ＴＶユニット１０におけるコンテンツ受信部１６がＰＣ映像を取得し、制御情報通信部１８が表示関連情報を受け付けると、制御部１９は、取得したＰＣ映像を表示関連情報に基づいて加工した映像と、コンテンツ処理部１３において処理したＴＶ映像とを合成して合成映像を生成するようにコンテンツ合成部１４に指示する。指示を受けたコンテンツ合成部１４は、取得したＰＣ映像の表示サイズをサイズ指定情報に基づいて縮小した合成用映像を生成し、生成した合成用映像をＴＶ映像に合成する。これによって、コンテンツ合成部１４においてディスプレイ２に表示する表示用映像が生成される。このとき、コンテンツ合成部１４では、ＰＣ映像の表示品質を向上させるべく、輝度コントの調整を行う。
【０１２４】
コンテンツ合成部１４における表示用映像の生成をより具体的に説明すると、グラフィックコントローラ１１１が、グラフィックメモリ１１０を利用してＴＶ映像１００を表すデータを書き込んだ第１のプレーンと、ＰＣ映像２００を表すデータを書き込んだ第２のプレーンとを合成することにより表示用映像を生成する。このとき、ＰＣ映像２００を表すデータは、サイズ指定情報により指定される表示サイズとなるように第２のプレーンに書き込まれる。一方、ＴＶ映像１００を表すデータは、変更されることなく第１のプレーンに書き込まれる。
【０１２５】
最後に、コンテンツ合成部１４において生成された表示用映像は、映像出力部１１を介してディスプレイ２に出力される。これにより、ディスプレイ２には、図４（ａ）に示すようなＴＶ映像１００を主映像とし、ＰＣ映像２００を副映像とした映像が表示されることになる。
【０１２６】
なお、上記した一連の処理では、ＴＶ映像を主映像とし、ＰＣ映像を副映像とする場合を例に挙げて説明しているが、主映像および副映像とする映像が逆であってもよい。
【０１２７】
（利用サービスの多様性）
ＰＣ内蔵テレビ１のユーザは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１２８】
（電源の連動）
ユーザは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０の電源を入れると同時にＰＣの電源も入る。ＴＶユニット１０の起動完了後、ユーザは直ちに放送番組の視聴が可能になる。一方、その後もＰＣユニット２０の起動処理は続く。ＴＶユニット１０よりもＰＣユニット２０の方が、起動の完了に要する時間が長いからである。ユーザは、ＰＣユニット２０の起動完了まで無用にまたせることなく、放送番組を楽しめる。また、ＰＣユニット２０の起動完了後は、リモコン９による簡単な操作によって、いつでもＰＣユニット２０を操作できる。
【０１２９】
（設置の容易性）
ＴＶユニット１０およびＰＣユニット２０が一体化されているため、ユーザはＰＣ内蔵テレビ１を簡単に設置できる。ＴＶユニット１０のディスプレイ２にＬＥＤバックライト採用してもよい。これにより、ＴＶユニット１０の軽量化および薄型化が可能になるため、ＰＣ内蔵テレビ１の設置方向を縦横のいずれにも自由にできる。
【０１３０】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１３１】
（消費電力の表示）
ＰＣ内蔵テレビ１は、自身の消費電力に関する情報を取得し、表示用の情報に変換して、ディスプレイ２に表示してもよい。
【０１３２】
〔実施形態２〕
本発明に係る第の実施形態について、図１２および図１３を参照して以下に説明する。なお、上述した第１の実施形態と共通する各部材には同じ符号を付し、詳細な説明を省略する。
【０１３３】
（ＰＣ内蔵テレビ１ａの外観例）
図１２（ａ）は、着脱可能なＰＣユニット２０ａがＴＶユニット１０ａに装着された後のＰＣ内蔵テレビ１ａを表示画面側から見た場合の外観を示す斜視図である。図１２（ｂ）は、着脱可能なＰＣユニット２０ａがＴＶユニット１０ａに装着される前のＰＣ内蔵テレビ１ａを背面側から見た場合の外観を示す図である。
【０１３４】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａもＰＣユニット２０ａもそれぞれ単独で利用できる。
【０１３５】
ＰＣユニット２０ａには、図１２（ａ）に示すように、複数の外部端子１５０〜１５２が設けられている。具体的にはイーサネット（登録商標）端子１５０、ＵＳＢ端子１５１、および映像／音声入出力端子１５２である。また、図１２（ｂ）に示すように、ＰＣユニット２０ａには、ＴＶユニット１０ａと信号をやり取りするための外部端子１５３〜１５５も設けられている。具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子１５３、制御信号端子１５４、および電源端子１５５である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１３６】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めば良いのである。
【０１３７】
ＰＣ内蔵テレビ１から外したＰＣユニット２０は、周辺機器に接続させることによって、様々な用途に活用できる。たとえば、モニタと接続可能なクレードルに、取り外したＰＣユニット２０を装着する。こうすれば、ＰＣユニット２０をデスクトップコンピュータとして使用できる。なお、ＰＣユニット２０ａとクレードルとを接続する端子としては、他にもイーサネット（登録商標）端子、およびシリアルポート端子を利用できる。
【０１３８】
（ＰＣ内蔵テレビ１ａの要部構成）
図１３は、本発明の一実施形態に係るＰＣ内蔵テレビ１の要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置・外部再生装置）１６０からも、再生対象のコンテンツを取得できる。すなわち、本実施形態のＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１３９】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１４０】
〔実施形態３〕
本発明に係る第３の実施形態について、図１４を参照して以下に説明する。なお、上述した第１および第２の実施形態と共通する各部材には同じ符号を付し、詳細な説明を省略する。
【０１４１】
本実施形態では、本発明はＢＤ内蔵テレビ１ｂとして実現される。ここで「ＢＤ」とはブルーレイ（登録商標）録画再生機器のことである。ＢＤ内蔵テレビ１ｂは、放送番組の再生および記録ディスク７への録画、ならびにブルーレイコンテンツの再生が可能な装置である。
【０１４２】
（ＢＤ内蔵テレビの外観例）
図１３は、着脱可能なＢＤユニット２０ｂ（第２のユニット）がＴＶユニット１０ａに装着された後のＢＤ内蔵テレビ１ｂの外観例を示す図である。ＢＤユニット２０ｂはブルーレイ録画再生装置としての構成および機能を有しており、それ単体でも動作するユニットである。本実施形態では、ＰＣユニット２０ａの装着が可能なＴＶユニット１０ａに、ＢＤユニット２０ｂを装着して１つのＢＤ内蔵テレビ１ｂを構成する。すなわち、ＴＶユニット１０ａの装着スロットにはＰＣユニット２０ａもＢＤユニット２０ｂもそれぞれが着脱式で装着可能になっている。また、これらのユニット以外にも、たとえばＤＶＤレコーダとしての構成および機能を有するＤＶＤユニットも、ＴＶユニット１０ａに装着可能である。
【０１４３】
ＴＶユニット１０ａは、装着されたＢＤ内蔵テレビ１ｂと連携して動作する。したがって、ユーザはリモコン９（図１）を使用してＴＶユニット１０ａもＢＤユニット２０ｂも操作できる。すなわち、放送番組の視聴、放送番組の記録ディスク７への録画、記録ディスク７に録画されたコンテンツの再生は、１つのリモコン９によっていずれも可能である。
【０１４４】
なお、ＢＤユニット２０ｂは、第１の実施形態に係るＴＶユニット１０に支持される形で装着されることもできる。この場合、たとえばＵＳＢ２．０の規格に従った端子間での接続が可能である。
【０１４５】
（付記事項）
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１４６】
本発明の表示装置は、第１のユニットおよび複数の第２のユニットによって構成されていても良い。第２のユニットは、汎用コンピュータ、ブルーレイ再生（録画）機器、ＤＶＤ再生（録画）機器、およびハードディスクレコーダのいずれかとして実現され得る。これらのうち任意の複数の第２のユニットと、第１のユニットとを組み合わせて、１つの表示装置を構成する。結果、たとえば１つの表示装置が２つのＰＣユニット２０を備えている構成、ならびに、１つの表示装置が１つのＰＣユニット２０ａおよび１つのＢＤユニット２０ｂを備えている構成は、いずれも本発明の範疇に含まれる。如何なる第２のユニットも、第１のユニットから着脱可能とすることもできるし、または、第１のユニットの筐体本体に内蔵することもできる。
【０１４７】
ＰＣユニット２０ａがＴＶユニット１０ａの筐体本体に内蔵された構成のＰＣ内蔵テレビ１も、実現可能である。この場合、ＰＣユニット２０ａはＴＶユニット１０ａの内部に完全に隠されている。したがって、ＰＣユニット２０ａを外部環境から守ることができる。なお、ユーザは、ＰＣユニット２０ａをＴＶユニット１０ａの内部から取り出して、別のＰＣユニット２０ａに交換することができる。
【０１４８】
コンテンツには、第１の映像５４または第２の映像５０に加えて、当該映像に関連する情報（関連情報）が含まれていても良い。
【０１４９】
（プログラムおよび記録媒体）
最後に、ＰＣ内蔵テレビ１を構成するＴＶユニット１０およびＰＣユニット２０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５０】
すなわちＴＶユニット１０およびＰＣユニット２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１５１】
この記録媒体は、上述した機能を実現するソフトウェアであるＴＶユニット１０およびＰＣユニット２０のプログラムのプログラムコード（実行形式プログラム、中間コードプログラム、ソースプログラム）をコンピュータで読み取り可能に記録していればよい。ＴＶユニット１０およびＰＣユニット２０に、この記録媒体を供給する。これにより、コンピュータとしてのＴＶユニット１０およびＰＣユニット２０（またはＣＰＵやＭＰＵ）が、供給された記録媒体に記録されているプログラムコードを読み出し、実行すればよい。
【０１５２】
プログラムコードをＴＶユニット１０およびＰＣユニット２０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１５３】
また、ＴＶユニット１０およびＰＣユニット２０を通信ネットワークと接続可能に構成しても、本発明の目的を達成できる。この場合、上記のプログラムコードを、通信ネットワークを介してＴＶユニット１０およびＰＣユニット２０に供給する。この通信ネットワークはＴＶユニット１０およびＰＣユニット２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１５４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１５５】
なお、ＰＣ内蔵テレビ１ａを構成する各ブロックにおいても同様である。
【産業上の利用可能性】
【０１５６】
本発明は、コンピュータを内蔵したテレビジョン装置として幅広く利用できる。
【符号の説明】
【０１５７】
１    ＰＣ内蔵テレビ（表示装置）
１ａ    ＰＣ内蔵テレビ（表示装置）
１ｂ    ＢＤ内蔵テレビ（表示装置）
２    ディスプレイ
２ａ  ＴＶ主画面
２ｂ  ＰＣ画面
２ｃ−１〜２ｃ−３  ＰＣ表示メニュー項目
３    スピーカ
４    アンテナ
５    マウス
６    キーボード
７    記録ディスク（記録メディア）
８    インターネット（通信ネットワーク）
９    リモコン
１０  ＴＶユニット（第１のユニット）
１０ａ  ＴＶユニット（第１のユニット）
１１  映像出力部（映像表示手段）
１２  音声出力部
１３  コンテンツ処理部
１４  コンテンツ合成部（映像合成手段）
１５  コンテンツ取得部（第１の映像取得手段、放送波受信手段）
１６  コンテンツ受信部（映像受信手段）
１７  ユーザ入力部
１８  制御情報通信部（第１の情報通信手段）
１９  制御部
２０  ＰＣユニット（第２のユニット）
２０ａ  ＰＣユニット（第２のユニット）
２０ｂ  ＢＤユニット（第２のユニット）
２１  コンテンツ処理部（加工手段）
２２  コンテンツ取得部（第２の映像取得手段）
２３  コンテンツ送信部（映像送信手段）
２４  記憶部（内部記憶装置）
２５  制御情報通信部（第２の情報通信手段）
２６  ユーザ入力部
２７  制御部
２８  アプリケーション実行部（実行手段）
５０  第２の映像
５１ａ  表示ウィンドウ
５１ｂ  表示ウィンドウ
５４  第１の映像
【図１】
2010258910.tif 000003
【図２】
2010258910.tif 000004
【図３】
2010258910.tif 000005
【図４】
2010258910.tif 000006
【図５】
2010258910.tif 000007
【図６】
2010258910.tif 000008
【図７】
2010258910.tif 000009
【図８】
2010258910.tif 000010
【図９】
2010258910.tif 000011
【図１０】
2010258910.tif 000012
【図１１】
2010258910.tif 000013
【図１２】
2010258910.tif 000014
【図１３】
2010258910.tif 000015
【図１４】
2010258910.tif 000016